(57)【要約】      （修正有）【課題】ソーラーパネルモジュールの連結部材を提供する。【解決手段】ソーラーパネルモジュールの連結部材は上連結片３０および下連結片４０を備える。上連結片は腹部３１および二つの翼部３３を有する。腹部は二つのフレームの間の隙間に嵌め込まれる。二つの翼部は相対するように腹部に連結され、二つのフレーム１２に別々に当接する。下連結片は矩形底部４１、二つの側壁４４および二つのスペーサー４５を有する。二つの側壁は相対するように矩形底部に連結される。二つのスペーサーは相対するように矩形底部に連結される。矩形底部は固定ユニットによって上連結片の腹部と支持形鋼との間に固定される。二つの側壁と二つのスペーサーは相互に垂直である。かつ二つの側壁は二つのスペーサーに所定の距離を置くことによって二つのスペーサーとの間に位置決め溝を別々に形成する。二つの位置決め溝はフレームの位置決め作業に対応する。これにより位置決め作業を迅速に行い、装着の便をはかることができる。【選択図】図２
0003214274.tif 000002
【実用新案登録請求の範囲】
【請求項１】
二つのフレームおよび支持形鋼を備えるソーラーパネルモジュールに用いられ、
上連結片、下連結片および固定ユニットから構成されるソーラーパネルモジュールの連結部材であって、
二つの前記フレームは相互に距離を置いて並列することで隙間を形成し、
前記支持形鋼は前記隙間に対応するように二つの前記フレームの下方に配置され、
前記上連結片は、腹部および二つの翼部を有し、前記腹部は前記隙間に嵌め込まれ、二つの前記翼部は相対するように前記腹部に連結され、前記フレームに別々に当接し、
前記下連結片は、二つの前記フレームと前記支持形鋼との間に配置され、矩形底部、二つの側壁および二つのスペーサーを有し、二つの前記側壁は前記矩形底部の二つの相対する側辺部に連結され、二つの前記スペーサーは前記矩形底部の別の二つの相対する側辺部に連結され、二つの前記側壁は二つの前記スペーサーに所定の距離を置くことによって二つの前記スペーサーとの間に位置決め溝を別々に形成し、二つの前記位置決め溝は前記フレームの位置決め作業に対応し、
前記固定ユニットは、前記支持形鋼、前記上連結片の前記腹部および前記下連結片の前記矩形底部をまとめて固定するものであることを特徴とするソーラーパネルモジュールの連結部材。
【請求項２】
前記支持形鋼は長形孔を有し、
前記上連結片は前記腹部に上方固定孔を有し、
前記下連結片は前記矩形底部に下方固定孔を有し、
前記固定ユニットは第一ボルトおよび第一ナットを有し、前記第一ボルトは前記支持形鋼の前記長形孔、前記上連結片の前記腹部の前記上方固定孔および前記下連結片の前記矩形底部の前記下方固定孔を貫通し、前記第一ナットによって締め付けられることを特徴とする請求項1に記載のソーラーパネルモジュールの連結部材。
【請求項３】
さらに二つの補強ユニットを備え、
前記フレームと前記下連結片の前記矩形底部は前記補強ユニットによって連結されることを特徴とする請求項1に記載のソーラーパネルモジュールの連結部材。
【請求項４】
前記フレームは上補強孔を有し、
前記下連結片は前記矩形底部に下補強孔を有し、
前記補強ユニットは第二ボルトおよび第二ナットを有し、前記第二ボルトは前記フレームの前記上補強孔および前記下連結片の前記矩形底部の下補強孔を貫通し、前記第二ナットによって締め付けられることを特徴とする請求項３に記載のソーラーパネルモジュールの連結部材。
【考案の詳細な説明】
【技術分野】
【０００１】
本考案はソーラーパネルモジュールに関し、詳しくは二つの並列するフレームおよび支持形鋼を迅速かつ簡単にまとめて固定できるソーラーパネルモジュールの連結部材に関するものである。
【背景技術】
【０００２】
太陽光発電システムはソーラーパネルで吸収した太陽光を電気エネルギーに転換し、貯めて給電することが主な働きである。太陽光発電システムのソーラーパネルを設置するには大面積の空間が必要である。大面積の空間を確保するために現有の建築物の屋根、室外の空き地または道端を十分に利用することが一般的である。建築物の屋根にソーラーパネルを設置する際、二つの並列するフレームの間の間隔が小さく、装着に必要な部品が多いことが原因で位置決め作業および後続の固定作業に非常に手間がかかるため、構造には改善の余地がある。
【考案の概要】
【考案が解決しようとする課題】
【０００３】
本考案は、位置決め作業を迅速に行い、装着の便をはかることができるソーラーパネルモジュールの連結部材を提供することを主な目的とする。
【課題を解決するための手段】
【０００４】
上述した課題を解決するため、ソーラーパネルモジュールの連結部材は上連結片、下連結片および固定ユニットを備える。上連結片は腹部および二つの翼部を有する。腹部は二つの並列するフレームの間の隙間に嵌め込まれる。二つの翼部は相対するように腹部に連結され、フレームに別々に当接する。下連結片は二つのフレームと支持形鋼との間に配置され、矩形底部、二つの側壁および二つのスペーサーを有する。二つの側壁は矩形底部の二つの相対する側辺部に連結される。二つのスペーサーは矩形底部の別の二つの相対する側辺部に連結される。二つの側壁は二つのスペーサーに所定の距離を置くことによって二つのスペーサーとの間に位置決め溝を別々に形成する。二つの位置決め溝はフレームの位置決め作業に対応する。固定ユニットは支持形鋼、上連結片の腹部および下連結片の矩形底部をまとめて固定するものである。  
【０００５】
比較的好ましい場合、支持形鋼は長形孔を有する。上連結片は腹部に上方固定孔を有する。下連結片は矩形底部に下方固定孔を有する。固定ユニットはボルトおよびナットを有する。ボルトが支持形鋼の長形孔、上連結片の上方固定孔および下連結片の下方固定孔を貫通し、ナットによって締め付けられれば、上連結片、下連結片および支持形鋼は固定ユニットによってまとまって固定される。
【０００６】
比較的好ましい場合、フレームと下連結片の矩形底部は補強ユニットによって連結される。補強ユニットは二つのフレームの構造の安定度を増大させるものである。
【図面の簡単な説明】
【０００７】
【図１】本考案の一実施形態による連結部材を採用したソーラーパネルモジュールを示す斜視図である。
【図２】本考案の一実施形態による連結部材によって連結されたフレームおよび支持形鋼の一部分を示す分解斜視図である。
【図３】本考案の一実施形態による連結部材によってフレームおよび支持形鋼が連結された状態を示す断面図である。
【考案を実施するための形態】
【０００８】
以下、本考案によるソーラーパネルモジュールの連結部材を図面に基づいて説明する。なお、本明細書において、上下、内外、頂部、底部などの方向性のある用語は通常に作業する際の向きを表示するための説明に過ぎないため、本考案の請求範囲を限定できない。
【０００９】
図１に示すように、ソーラーパネルモジュール１０は二つのソーラーパネル１１および二つのフレーム１２を備える。二つのフレーム１２は二つのソーラーパネル１１の周りを別々に囲むように装着され、かつ相互に距離を置いて並列することで隙間Ｇを生じる。ソーラーパネルモジュール１０はさらに支持形鋼１３（例えばＣ字型鋼）を備える。支持形鋼１３は隙間Ｇに対応するように二つのフレーム１２の下方に配置され、二つのフレーム１２に支持効果を発揮する。本考案の一実施形態による連結部材を採用するために、フレーム１２は前後両端の底面に二つの上補強孔１４を別々に有する。支持形鋼１３は前後両端の頂面に長形孔１５を別々に有する。説明の便をはかるために、一つの上補強孔１４および一つの長形孔１５だけは図2に表示される。
【００１０】
（一実施形態）
図2に示すように、本考案の一実施形態による連結部材２０は上連結片３０、下連結片４０、固定ユニット５０および補強ユニット６０を備える。
【００１１】
上連結片３０は、腹部３１および二つの翼部３３を有する。腹部３１は円形の上方固定孔３２を有する。二つの翼部３３は腹部３１の二つの相対する側縁部に連結され、横断面がＬ字型を呈する。図２および図３に示すように、装着作業を行う際、二つのフレーム１２の間の隙間Ｇに上連結片３０の腹部３１を嵌め込み、上連結片３０の二つの翼部３３をフレーム１２の頂部に別々に連結すればよい。
【００１２】
下連結片４０は、矩形底部４１、二つの相対する側壁４４および二つの相対するスペーサー４５を有する。矩形底部４１は三つの中央部に並列する下方固定孔４２、三つの左側端に並列する下補強孔４３および三つの右側端に並列する下補強孔４３を有する。二つの側壁４４は矩形底部４１の短辺部に垂直に連結される。二つのスペーサー４５は矩形底部４１の長辺部の中央部に連結され、かつ二つの側壁４４との間に所定の距離を置いて位置決め溝４６(図３参考)を別々に形成する。二つの位置決め溝４６は相互に平行し、二つのスペーサー４５によって隔離される。図２および図３に示すように、装着作業を行う際、二つのフレーム１２と支持形鋼１３との間に下連結片４０を取り付け、二つのフレーム１２の底部を一つの位置決め溝４６に別々に位置させ、矩形底部４１の一つの下方固定孔４２を支持形鋼１３の長形孔１５、上連結片３０の腹部３１の上方固定孔３２に対応させればよい。
【００１３】
固定ユニット５０は、第一ボルト５１、第一矩形ワッシャー５２、第一円形ワッシャー５３および第一ナット５４を有する。図２および図３に示すように、装着作業を行う際、第一ボルト５１が下から上へ第一矩形ワッシャー５２、支持形鋼１３の長形孔１５、下連結片４０の矩形底部４１の下方固定孔４２および上連結片３０の腹部３１の上方固定孔３２および第一円形ワッシャー５３を順に貫通し、第一ナット５４によって締め付けられれば、二つのフレーム１２、上連結片３０、下連結片４０および支持形鋼１３はまとまって固定される。
【００１４】
補強ユニット６０は、第二ボルト６１、第二矩形ワッシャー６２、第二円形ワッシャー６３および第二ナット６４を有する。図２および図３に示すように、装着作業を行う際、第二ボルト６１が上から下へ第二矩形ワッシャー６２、フレーム１２の上補強孔１４、下連結片４０の矩形底部４１の下補強孔４３および第二円形ワッシャー６３を順に貫通し、第二ナット６４によって締め付けられれば、フレーム１２および下連結片４０はまとまって固定され、フレーム１２の構造の安定度を増大させることができる。
【００１５】
上述したとおり、本考案による連結部材２０は下連結片４０の特殊構造によって二つのフレーム１２の位置決め作業を迅速に行い、上連結片３０および固定ユニット５０によって二つのフレーム１２および支持形鋼１３をまとめて固定し、装着の利便性を向上させることができる。
【符号の説明】
【００１６】
１０：ソーラーパネルモジュール、  
１１：ソーラーパネル、  
１２：フレーム、  
１３：支持形鋼、  
１４：上補強孔、  
Ｇ：隙間、  
１５：長形孔、  
２０：連結部材、  
３０：上連結片、  
３１：腹部、  
３２：上方固定孔、  
３３：翼部、  
４０：下連結片、  
４１：矩形底部、  
４２：下方固定孔、  
４３：下補強孔、  
４４：側壁、  
４５：スペーサー、  
４６：位置決め溝、  
５０：固定ユニット、  
５１：第一ボルト、  
５２：第一矩形ワッシャー、  
５３：第一円形ワッシャー、  
５４：第一ナット、  
６０：補強ユニット、  
６１：第二ボルト、  
６２：第二矩形ワッシャー、  
６３：第二円形ワッシャー、  
６４：第二ナット
【図１】
0003214274.tif 000003
【図２】
0003214274.tif 000004
【図３】
0003214274.tif 000005